(57)【要約】      （修正有）【課題】小型のレンズモジュールを提供する。【解決手段】レンズモジュールは、鏡筒１とレンズ群２とを備え、前記レンズ群２は前記鏡筒１内に取り付けられる。前記鏡筒１は、水平方向に延伸する第１の筒壁１１と、前記第１の筒壁１１から折り曲がる第２の筒壁１２とを備え、前記レンズモジュールは、前記鏡筒１内に設けられた遮光シート３を更に備え、前記遮光シート３は、前記第１の筒壁に固定される。前記遮光シート３及び前記レンズ群２は、物体側から像側まで順に配列される。遮光シート３の使用は、鏡筒１の長さを短くするので、鏡筒１を成形するときの難しさを低下させて、鏡筒１の良品率を向上させる。【選択図】図１
2017090876.tif 000002
【特許請求の範囲】
【請求項１】
水平方向に延伸する第１の筒壁と、前記第１の筒壁から折曲って延伸する第２の筒壁とを備える鏡筒と、前記鏡筒内に取り付けられているレンズ群を備えるレンズモジュールにおいて、
前記レンズモジュールは、前記鏡筒内に設けられている遮光シートを更に備え、前記遮光シートは前記第１の筒壁に固定されており、前記遮光シート及び前記レンズ群は物体側から像側まで順に配列されていることを特徴とするレンズモジュール。
【請求項２】
前記遮光シートは中央に開口部を有するリング状の構造であることを特徴とする請求項１に記載のレンズモジュール。
【請求項３】
前記レンズ群は第１のレンズを含み、前記第１のレンズは第１の光学部と、前記第１の光学部を取り囲む第１の支持部とを備え、前記第１の光学部の光軸方向の正投影は少なくとも部分的に前記遮光シート上に位置することを特徴とする請求項２に記載のレンズモジュール。
【請求項４】
前記鏡筒に、前記第１の筒壁の内面から前記鏡筒の中心軸方向へ延伸するボスが設けられ、前記ボスは前記遮光シートと前記第１のレンズの第１の支持部との間に挟まれており、前記ボスと前記第１の筒壁の内面とが収納部を形成し、前記遮光シートは部分的に前記収納部に配置されていることを特徴とする請求項３に記載のレンズモジュール。
【請求項５】
前記レンズ群は、前記第１のレンズと対向して前記第１のレンズの下方に位置する第２のレンズを備えることを特徴とする請求項４に記載のレンズモジュール。
【請求項６】
前記第１のレンズの第１の支持部は、前記第１の筒壁と前記第２のレンズとの間に挟まれていることを特徴とする請求項５に記載のレンズモジュール。
【請求項７】
前記遮光シートは接着剤を介して前記第１の筒壁に固定して接続されていることを特徴とする請求項１に記載のレンズモジュール。
【請求項８】
前記遮光シートには通光孔が形成されており、前記レンズ群の軸心は、前記通光孔の軸心と同一の直線上にあることを特徴とする請求項１に記載のレンズモジュール。
【発明の詳細な説明】
【技術分野】
【０００１】
本発明は光学的結像の技術分野に属し、特にカメラ、ビデオカメラ、携帯電話、パネルコンピュータ、ノートパソコン等の電子デバイスに用いられているレンズモジュールに関している。
【背景技術】
【０００２】
従来、撮像技術の発展及び撮影機能を有する電子製品の進化に伴い、光学撮像レンズモジュールは各種の製品に広く応用されている。現在の電子製品では体積がますます小さくなるという傾向を満たすために、レンズモジュールの体積も小型化しなければならない。
従来技術では、レンズモジュールは、レンズ鏡筒と、前記レンズ鏡筒内に設けられるレンズと、レンズ同士に挟まれた遮光シートと、を備え、前記レンズ鏡筒は、水平方向に伸びている第１の筒壁と、前記第１の筒壁から折曲って伸びている第２の筒壁とを備え、前記第１の筒壁上に、レンズが伸びる通光孔が形成される。ところで、第１の筒壁上に通光孔が形成されるには、筒壁の肉厚が一定の要求を満たさなければならない。筒壁の厚さが増加すると、レンズモジュール全体の高さ及び重量は増加する。レンズ鏡筒を成形するときの難しさは高くなる。
したがって、新しいレンズモジュールを提供して上記の欠陥を克服する必要がある。
【発明の概要】
【０００３】
本発明は、従来のレンズモジュールが全体として長く且つ重いことでてグレアとなり易く、レンズモジュールの結像品質を低下させるという課題を解決するための、レンズモジュールを提供することを目的とする。
上記の目的を達成するために、本発明は、水平方向に延伸する第１の筒壁と、前記第１の筒壁から折曲って延伸する第２の筒壁とを備える鏡筒と、前記鏡筒内に取り付けられるレンズ群を備えるレンズモジュールであって、前記レンズモジュールは、前記鏡筒内に設けられた遮光シートを更に備え、前記遮光シートは前記第１の筒壁に固定され、前記遮光シート及び前記レンズ群は物体側から像側まで順に配列し、前記遮光シートには通光孔が形成される。
【０００４】
また、本発明におけるレンズモジュールでは、前記遮光シートは中央に開口部を有するリング状の構造である。
また、本発明におけるレンズモジュールでは、前記レンズ群は第１のレンズを含み、前記第１のレンズは第１の光学部と、前記第１の光学部を取り囲む第１の支持部とを備え、前記第１の光学部の光軸方向の正投影は少なくとも部分的に前記遮光シート上に位置する。
【０００５】
また、本発明におけるレンズモジュールでは、前記鏡筒に、前記第１の筒壁の内面から前記鏡筒の中心軸方向へ延伸するボスが設けられ、前記ボスは前記遮光シートと前記第１のレンズの第１の支持部との間に挟まれ、前記ボスと前記第１の筒壁の内面とが収納部を形成し、前記遮光シートは部分的に前記収納部に配置される。
また、本発明におけるレンズモジュールでは、前記レンズ群は、前記第１のレンズと対向して前記第１のレンズの下方に位置する第２のレンズを備える。
【０００６】
また、本発明におけるレンズモジュールでは、前記第１のレンズの第１の支持部は、前記第１の筒壁と前記第２のレンズとの間に挟まれる。
また、本発明におけるレンズモジュールでは、前記遮光シートは接着剤を介して前記第１の筒壁に固定して接続される。
また、本発明におけるレンズモジュールでは、前記遮光シートには通光孔が形成され、前記レンズ群の軸心は、前記通光孔の軸心と同一の直線上にある。
【発明の効果】
【０００７】
第１の筒壁上に遮光シートが固定され、遮光シートを利用して、レンズ群を取り付けるバリア構成を形成して、従来の筒体の一体成形の内部突起部を代替する。遮光シートの厚さは、内部突起部の鏡筒の軸方向に沿う厚さよりもはるかに小さいので、鏡筒の長さを相当に減少させる。次に、遮光シートの厚さが、内部突起部の鏡筒の軸方向に沿う厚さよりも遥かに小さいので、遮光シートの通光孔を介してレンズ群に入る光線が遮光シートの内面に反射することは大幅に少なくなり、結像するときのグレアを弱くし、レンズモジュールの結像品質を向上させる。さらに、鏡筒の天井の面が一定の厚さであることを確保する際、遮光シートを使用することによって鏡筒の長さを短くすることができ、鏡筒の成形をするときその成形の難しさを低下させて、鏡筒の良品率を向上させることができる。
下記の図面を組み合わせながら詳細に記述することによって、遮光シートの上記の新規及び／または他の面及び利点は、より明白になり、より理解され易い。これらの図面は説明するためのものであり、本発明を制限するものではない。
【図面の簡単な説明】
【０００８】
【図１】図１は本発明の一つの実施形態におけるレンズモジュールの模式図である。
【発明を実施するための形態】
【０００９】
以下に記述する実施形態は、本発明の特定の具体的な実施態様であり、本発明の技術思想を説明するためのものであり、本発明を解釈・例示するものであり、本発明の本発明の範囲を制限するものではない。ここに記載する実施形態の他にも、当業者は、本願の請求の範囲及び明細書に開示された内容に基づいて明らかな他の技術を採用することもできる。これらの技術思想は、ここに記載する実施形態に対して任意の明白的な代替または修正をする技術思想を含む。
【００１０】
本明細書の図面は模式図であり、本発明の思想を補助して説明するものであり、各部の形状及びその相関関係を模式的に示すものである。本発明の実施形態の各部の構成を明瞭に表現するために、各図面は必ずしも同一の縮尺で作られていない。同一の符号は同じ部分を示すものである。
【００１１】
図１は本発明の一つの実施形態によるレンズモジュールを示す。前記レンズモジュールは、鏡筒１とレンズ群２を備え、前記レンズ群２は前記鏡筒１内に取り付けられ、前記鏡筒１は水平方向に延伸する第１の筒壁１１と前記第１の筒壁１１から折曲って延伸する第２の筒壁１２とを備える。前記レンズモジュールは、前記鏡筒内に設けられている遮光シート３を更に備え、前記遮光シート３は前記第１の筒壁１１に固定され、前記遮光シート３及び前記レンズ群２は、物体側から像側まで順に配列され、前記遮光シート３は中央に開口部を有するリング状の構造であるとともに、前記レンズモジュールの通光孔３１を形成する。前記レンズ群２の軸心は、前記通光孔３１の軸心と同一の直線上にある。
【００１２】
前記物体側とは、前記レンズモジュールを使用するときに鏡筒の物体側に近い側を意味し、前記像側は、物体側の反対側を意味する。図１において分かるように、第１の筒壁１１は物体側に近く、第１の筒壁１１の鏡筒中心へ延伸する長さは、第２の筒壁１２よりも長い。
本発明の上記実施形態におけるレンズモジュールでは、前記レンズ群２には第１のレンズ２１が設けられ、前記第１のレンズ２１は、第１の光学部２１１と、前記第１の光学部２１１を取り囲む第１の支持部２１２とを備え、前記第１の光学部２１１の光軸方向での正投影は、少なくとも部分的に前記遮光シート３上に位置する。
【００１３】
本発明の上記実施形態におけるレンズモジュールでは、前記鏡筒には、前記第１の筒壁１１の内面から鏡筒１の中心軸方向へ延伸するボス１１１が設けられ、前記ボス１１１は、前記遮光シート３と前記第１のレンズ２１の第１の支持部２１２との間に挟まれ、前記ボス１１１と前記第１の筒壁１１の内面は収納部を形成し、前記遮光シートは部分的に前記収納部内に設けられる。この構成の利点は、遮光シートの組立が簡単であり、レンズを組み立てるとき、遮光シートを収納部に取り付けて固定すればよいということである。本実施形態において、前記遮光シート３は、接着剤４を介して前記第１の筒壁１１に固定して接続される。
【００１４】
本発明の上記実施形態のレンズモジュールにおいて、前記レンズ群には、前記第１のレンズ２１と対向して前記第１のレンズの下方に位置する第２のレンズ２２が設けられる。前記第１のレンズ２１の第１の支持部２１２は、前記第１の筒壁１１と前記第２のレンズ２２との間に配置される。当然、他の実施形態では、レンズ群は二つ以上のレンズを含んでも良い。
【００１５】
本発明の実施形態のレンズモジュールでは、まず、第１の筒壁上に遮光シートが固定される。遮光シートを利用してレンズ群を組み立てるバリア構成を形成して、従来の筒体の一体成形の内部突起部を代替する。遮光シートの厚さが、従来の内部突起部の鏡筒の軸方向に沿う厚さよりもはるかに小さいので、鏡筒の長さを大幅に減少させる。次に、遮光シートの厚さが、内部突起部の鏡筒の軸方向に沿う厚さよりもはるかに小さいので、遮光シートの通光孔を介してレンズ群に入る光線が遮光シートの内面に反射することは大幅に少なくなり、結像するときのグレアを弱くし、レンズモジュールの結像品質を向上させる。さらに、鏡筒の天井の面が一定の厚さであることを確保する際、遮光シートを使用することによって、鏡筒の長さを短くすることができ、鏡筒を成形するときの成形の難しさを低下させ、鏡筒の良品率を向上させることができる。
上記の開示されている各構成要件は、開示されたような他の構成要件との組み合わせに限っていない。当業者は、本発明の目的を達成できれば、発明の目的に基づいて各構成要件同士の他の組み合わせをすることもできる。        
【符号の説明】
【００１６】
１      鏡筒
１１    第１の筒壁
１１１  ボス
１２    第２の筒壁
２      レンズ群
２１    第１のレンズ
２１１  第１の光学部
２１２  第１の支持部
２２    第２のレンズ
３      遮光シート
３１    通光孔；
４      接着剤
【図１】
2017090876.tif 000003
【手続補正書】
【提出日】平成28年9月30日(2016.9.30)
【手続補正１】
【補正対象書類名】特許請求の範囲
【補正対象項目名】全文
【補正方法】変更
【補正の内容】
【特許請求の範囲】
【請求項１】
水平方向に延伸する第１の筒壁と、前記第１の筒壁から折曲って延伸する第２の筒壁とを備える鏡筒と、前記鏡筒内に取り付けられているレンズ群を備えるレンズモジュールにおいて、
前記レンズモジュールは、前記鏡筒内に設けられている遮光シートを更に備え、前記遮光シートは前記第１の筒壁に固定されており、前記遮光シート及び前記レンズ群は物体側から像側まで順に配列されており、 
前記遮光シートは中央に開口部を有するリンク状の構造であり、
前記レンズ群は第１のレンズを含み、前記第１のレンズは第１の光学部と、前記第１の光学部を取り囲む第１の支持部とを備え、前記第１の光学部の光軸方向の正投影は少なくとも部分的に前記遮光シート上に位置し、
前記第１のレンズの第１の光学部は前記遮光シートから物体側に向けて突出している、
ことを特徴とするレンズモジュール。
【請求項２】
前記鏡筒に、前記第１の筒壁の内面から前記鏡筒の中心軸方向へ延伸するボスが設けられ、前記ボスは前記遮光シートと前記第１のレンズの第１の支持部との間に挟まれており、前記ボスと前記第１の筒壁の内面とが収納部を形成し、前記遮光シートは部分的に前記収納部に配置されていることを特徴とする請求項１に記載のレンズモジュール。
【請求項３】
前記レンズ群は、前記第１のレンズと対向して前記第１のレンズの下方に位置する第２のレンズを備えることを特徴とする請求項２に記載のレンズモジュール。
【請求項４】
前記第１のレンズの第１の支持部は、前記第１の筒壁と前記第２のレンズとの間に挟まれていることを特徴とする請求項３に記載のレンズモジュール。
【請求項５】
前記遮光シートは接着剤を介して前記第１の筒壁に固定して接続されていることを特徴とする請求項１に記載のレンズモジュール。
【請求項６】
前記遮光シートには通光孔が形成されており、前記レンズ群の軸心は、前記通光孔の軸心と同一の直線上にあることを特徴とする請求項１に記載のレンズモジュール。
【手続補正２】
【補正対象書類名】明細書
【補正対象項目名】００１５
【補正方法】変更
【補正の内容】
【００１５】
本発明の実施形態のレンズモジュールでは、まず、第１の筒壁上に遮光シートが固定される。遮光シートを利用してレンズ群を組み立てるバリア構成を形成して、従来の筒体の一体成形の内部突起部を代替する。遮光シートの厚さが、従来の内部突起部の鏡筒の軸方向に沿う厚さよりもはるかに小さいので、鏡筒の長さを大幅に減少させる。次に、遮光シートの厚さが、内部突起部の鏡筒の軸方向に沿う厚さよりもはるかに小さいので、遮光シートの通光孔を介してレンズ群に入る光線が遮光シートの内面に反射することは大幅に少なくなり、結像するときのグレアを弱くし、レンズモジュールの結像品質を向上させる。さらに、鏡筒の天井の面が一定の厚さであることを確保する際、遮光シートを使用することによって、鏡筒の長さを短くすることができ、鏡筒を成形するときの成形の難しさを低下させ、鏡筒の良品率を向上させることができる。
尚、第１のレンズの第１の光学部は遮光シートから物体側に向けて突出していても良い。
上記の開示されている各構成要件は、開示されたような他の構成要件との組み合わせに限っていない。当業者は、本発明の目的を達成できれば、発明の目的に基づいて各構成要件同士の他の組み合わせをすることもできる。